(57)【特許請求の範囲】
【請求項１】
ケース（１）に外方が解放状態の収容室（７）を設けると共に、この収容室（７）にはバッテリーへの接続に必要な接続端子（９，１０）を付設し、収容室（７）内にバッテリーを格納した後に、カバー（８）を冠設する型式の電話機において、収容室（７）を大型バッテリー（Ｂ）の装着に適応する寸法に形成し、かつ別に、収容室（７）の内側への嵌合に適応する外形を有すると共に、内側に小型バッテリー（ｂ）の支承に適応する内形を有するコ字枠状のアダプタ（１１）を設けて、このアダプタ（１１）を収容室（７）の内側へ嵌合すると共に、前記アダプタ（１１）の内側に小型バッテリー（ｂ）を格納するようにし、前記アダプタ（１１）の外周面には、少なくとも１カ所に弾性フック（１３）を設けると共に、該弾性フックに対応する前記収容室の内周面には掛止段（１４）を形成し、前記アダプタを前記収納室内に嵌装した状態において、前記弾性フックを前記掛止段に係合させることを特徴とする電話機のバッテリー収納装置。
【請求項２】
請求項１に記載の電話機のバッテリー収納装置に使用するバッテリー用アダプタであって、収容室（７）の内側への嵌合に適応する外形を有すると共に、内側に小型バッテリー（ｂ）の支承に適応する内形を有するコ字枠状のアダプタ（１１）であって、小型バッテリー（ｂ）と収容室（７）の接続端子（９）とに対接する中継端子（１２）を設け、外周面には、少なくとも１カ所に、前記アダプタを前記収納室内に嵌装した状態において、前記収容室の内周面に形成した前記掛止段に係合する弾性フック（１３）を設けたことを特徴とするバッテリー用アダプタ。
【発明の詳細な説明】
【０００１】
【産業上の利用分野】
本発明は、コードレス電話機の子機，携帯電話機等、バッテリー内蔵型電話機のバッテリー収納装置およびバッテリー用アダプタに関するものであり、詳しくは大きさの異なるバッテリーを選択的に収納することができるようにしたバッテリー収納技術に関するものである。
【０００２】
【従来の技術】
従来のコードレス電話機の子機あるいは携帯電話機等においては、そのバッテリー収容スペースは個々に特定されており、従って使用するバッテリーの大きさも必然的に規定される。
【０００３】
【発明が解決しようとする課題】
バッテリーの容量は通常その大きさに準拠している関係上、大型のものは寿命が永い反面大重量であり、また小型のものは寿命が短い反面軽量かつ携帯に便利であって、両利点を同時に満足することは極めて困難である。
【０００４】
そこで本発明の目的は、要求に応じて大きさの異なるバッテリーを収納することができる収納装置を提供することにある。
【０００５】
【課題を解決するための手段】
本発明は、上記目的を達成するため、電話機本体のバッテリー収納部を大型バッテリーの格納に適応する大きさに製作すると共に、小型バッテリーの格納に当っては、大型バッテリーと小型バッテリーとの占有空間の差に相当するバッテリー用アダプタを設けてこれをバッテリー収納部に着脱自在に装着した後、小型バッテリーを収納するようにする。
【０００６】
上記解決手段により、バッテリー用アダプタの有無により大きさの異なるバッテリーを選択的に収納することが可能であり、寿命の永い大重量バッテリーの使用と、寿命は短いが小型軽量バッテリーの使用とを、使用者の要求により選択することができる。
【０００７】
【実施例】
以下、本発明を携帯電話機に適用した図面に示す実施形態について詳細に説明する。
【０００８】
本発明の適用対象としての携帯電話機としては、例えば図１ないし図３および図５ないし図７のように、下ケース１ａと上ケース１ｂとから形成される把握に適したほぼ細長い扁平直方体状のプラスチック製ケース１内の両端寄りに送話部２と受話部３とを各別に設けるほか、それらの中間部にはダイヤル用およびファンクション用の押ボタン４，４がある操作部５と表示部６とを設け、かつ送話部２に近い内方には下ケース１ａの外方が解放状態のバッテリー用の収容室７を設けると共に、必要な接続端子９，１０を付設し、更に収容室７にはカバー８を着脱自在に設け、使用に先だち収容室７にバッテリーＢを収納する型式の携帯電話機を採択する。
【０００９】
上記型式の携帯電話機に対する本発明の特殊構成としては、例えば図示のように、大型バッテリーＢの装着に適応する寸法の収容室７を形成すると共に、収容室７内に大型バッテリーＢを格納した後にカバー８を冠着して使用に供するようにし、これに反し前記収容室７の内側への嵌合に適応する外形を有するほか、内側に小型バッテリーｂの支承に適応する内形を有するほぼコ字枠状のアダプタ１１を設けて、このアダプタ１１を図１および図２に示すようにケース１における収容室７の内側へ嵌合すると共に、アダプタ１１の内側に小型バッテリーｂを格納した後、外方への突出量の少ない形状のカバー８を冠着して使用に供するようにし、なお前記アダプタ１１には接続端子９とバッテリーｂとを接続するための中継端子１２を設ける。
【００１０】
アダプタ１１の外周面には、少なくとも１カ所に弾性フック１３を設けると共に、これに対応する収納室７の内周面には掛止段１４を形成し、アダプタ１１を収納室７内に嵌装した状態において、弾性フック１３を掛止段１４に係合させることにより、アダプタ１１を安定的に収納室７内に保持することができるようにし、なお取り外す場合には、指頭による弾性フック１３への後退操作により掛止段１４との係合を解除すればよい。
【００１１】
小型バッテリーｂを使用する場合において、大型バッテリーＢ用の突出量の多いカバー８を使用することは電話機自体の外形が大型となるから、なるべく突出量の少ない形状のカバー８を使用するのが好ましいが、都合によっては突出量の多いカバー８を使用してもよく、その場合にはバッテリーｂとカバー８との間に生じる間隙にスペーサを介装し、あるいはバッテリーｂをバンド等により収容室７に固定するようにすればよい。
【００１２】
前記大型バッテリーＢおよび小型バッテリーｂは、例えば図１および図２に虚線で示すように、複数本の円筒状バッテリーをその必要な部分が露出する状態のもとに、テープ，フィルム，ケース等による包被により括結してワンブロック化するのが取扱上便利である。
【００１３】
前記バッテリーＢ，ｂの配列方向および接続順序並びにケース１，アダプタ１１に付設する接続端子９，中継端子１２の配置については、上記実施形態に限ることなく種々の変更が可能であり、またバッテリーＢ，ｂ自体については、一次電池，二次電池のいずれでもよいが、二次電池の場合には充電用の施設（図示せず）を付設すればよい。
【００１４】
なお、図７のようなコネクタ１５付きのバッテリーｂを使用すると共に、収容室７にコネクタ１５に対応するように、接続端子９，１０付きコネクタ１６を設けてもよく、この場合には中継端子１２を欠除したアダプタ１１を採択することができる。
【００１５】
【発明の効果】
以上説明したように本発明によれば、収容室７を大型バッテリーＢの装着に適応する寸法に形成し、かつ収容室７の内側への嵌合に適応する外形と、内側に小型バッテリーｂの支承に適応する内形とを形成したアダプタ１１を設けて、このアダプタ１１を収容室７の内側へ嵌合すると共に、アダプタ１１の内側に小型バッテリーｂを格納することができるようにしたから、これにより著しく簡単な付属部材を追加することにより、アダプタ１１の有無により大きさの異なるバッテリーを選択的に容易に収納することが可能であり、寿命の永い大重量バッテリーの使用と、寿命は短いが小型軽量バッテリーの使用とを、使用者の要求により任意に選択することができる効果がある。
【図面の簡単な説明】
【図１】本発明のバッテリー収納装置を適用した電話機のカバーを外した状態の背面図である。
【図２】図１の電話機における要部の横断平面図である。
【図３】図１の電話機の斜面図である。
【図４】アダプタだけの斜面図である。
【図５】大型バッテリーを使用する状態のカバーを外した状態の背面図である。
【図６】図５の電話機における要部の横断平面図である。
【図７】他の実施形態の要部を示すカバーを外した状態の背面図である。
【符号の説明】
１  ケ−ス
７  収容室
８  カバ−
９  接続端子
１０  接続端子
１１  アダプタ
１２  中継端子
Ｂ  大型バッテリー
ｂ  小型バッテリー
【図１】
0003663556.tif 000002
【図２】
0003663556.tif 000003
【図３】
0003663556.tif 000004
【図４】
0003663556.tif 000005
【図５】
0003663556.tif 000006
【図６】
0003663556.tif 000007
【図７】
0003663556.tif 000008